(57)【要約】【課題】空焚きを効果的に防止するガスコンロの安全装置を提供する。【解決手段】ガスコンロの安全装置は、その支持部品（１）が、支持部品本体（１０）と周方向凸起と（１１）を備え、外スリーブ（２）が、接続される外スリーブ本体（２０）と縮径部（２１）とを備え、温度センサアセンブリ（３）が外スリーブ本体内（２０）に設置され、鍋の底部の温度を測定可能なものであり、縮径部（２１）と支持部品本体（１０）との間にガイド構造が設けられ、外スリーブ（２）が、支持部品（１）に対して支持部品（１）の軸方向に沿って往復移動可能であり、弾性部品（８）が、周方向凸起（１１）と外スリーブ本体（２０）の上端との間に支持される。ガスコンロの安全装置は、構成が簡単であり、容易に加工でき、ガスコンロの空焚き防止機能を実現でき、ガスコンロの安全性を向上させた。【選択図】図１
2021529298.tif 000002
【特許請求の範囲】
【請求項１】
支持部品と、外スリーブと、温度センサアセンブリと、を有し、
前記支持部品は、支持部品本体と、前記支持部品本体の上端と接続される周方向凸起と、を備え、
前記外スリーブは、接続される外スリーブ本体と縮径部とを備え、前記外スリーブ本体と前記縮径部との間にスリーブ肩部が形成され、前記周方向凸起が前記外スリーブ本体内に設置され、前記周方向凸起と前記外スリーブ本体の上端との間に弾性部品が接続され、前記スリーブ肩部は、前記周方向凸起の前記外スリーブ本体からの脱落を防ぐことができ、前記縮径部が前記支持部品本体の外部に外挿され、
前記温度センサアセンブリは、前記外スリーブ本体内に設置され、且つ前記外スリーブ本体と接続され、鍋の底部の温度を測定可能なものであり、
前記縮径部と前記支持部品本体との間にガイド構造が設けられ、前記外スリーブは、前記支持部品に対して前記支持部品の軸方向に沿って往復移動可能であり、前記弾性部品は、前記周方向凸起と前記外スリーブ本体の上端との間に支持される
ことを特徴とするガスコンロの安全装置。
【請求項２】
前記ガイド構造は、互いに係合するガイド凹溝とガイド凸起とを備え、
前記縮径部の内面に前記ガイド凹溝が設けられる場合、前記支持部品本体の外面に前記ガイド凸起が設けられ、前記支持部品本体の外面に前記ガイド凹溝が設けられる場合、前記縮径部の内面に前記ガイド凸起が設けられ、
前記ガイド凹溝と前記ガイド凸起とは、いずれも前記支持部品の軸方向に沿って延在する
ことを特徴とする請求項１に記載のガスコンロの安全装置。
【請求項３】
前記支持部品本体における前記ガイド凹溝又は前記ガイド凸起は、前記周方向凸起まで延在するように構成され、
又は、前記支持部品本体における前記ガイド凹溝又は前記ガイド凸起は、前記周方向凸起と間隔をあけて延在するように構成される
ことを特徴とする請求項２に記載のガスコンロの安全装置。
【請求項４】
前記ガイド凹溝及び前記ガイド凸起の断面形状は、いずれも三角形、矩形又は半円形であり、
前記ガイド凸起が２つ設けられ、２つの前記ガイド凸起が対称に設けられ、前記ガイド凹溝が前記ガイド凸起と一対一に設けられる
ことを特徴とする請求項１〜３のいずれか１項に記載のガスコンロの安全装置。
【請求項５】
さらに、防火カバーを有し、
前記防火カバーは、防火カバー本体と防火カバー縮径部とを備え、前記防火カバー本体と前記防火カバー縮径部との間に防火カバー肩部が接続され、
前記防火カバー本体は、前記外スリーブ本体に外挿され、前記外スリーブ本体と間隔をあけて設置され、前記防火カバー縮径部が前記縮径部に外挿され、前記防火カバー肩部に放熱貫通孔が設けられ、前記防火カバー肩部が前記スリーブ肩部と固定接続され、
前記温度センサアセンブリは、感温コラムを備え、前記感温コラムが前記外スリーブ本体の上端に設置され、前記防火カバーの上端が位前記感温コラムの上面の下方に位置し、
前記防火カバーは、酸化防止材からなる
ことを特徴とする請求項１〜４のいずれか１項に記載のガスコンロの安全装置。
【請求項６】
前記ガスコンロの安全装置は、さらに内スリーブを有し、前記内スリーブが前記外スリーブ内部に設置され、前記内スリーブの上端が前記外スリーブの上端と固定接続され、前記内スリーブの下端が前記支持部品本体に挿入可能であり、前記弾性部品が前記内スリーブに外挿され、
前記支持部品は、さらに延伸管と係合部とを備え、前記延伸管の上端が前記支持部品本体の下端と接続され、
前記支持部品は、さらに係合部を備え、前記係合部が前記延伸管の外面に設けられる
ことを特徴とする請求項１〜５のいずれか１項に記載のガスコンロの安全装置。
【請求項７】
前記温度センサアセンブリは、さらにサーミスタ、ケーブル及びコネクタを備え、
前記コネクタは、前記ガスコンロのスイッチと電気接続されるように配置され、前記感温コラムは、前記外スリーブの上端に設置され、前記内スリーブの上端が前記感温コラムを介して前記外スリーブと接続され、
前記内スリーブは、絶縁内スリーブである
ことを特徴とする請求項１〜６のいずれか１項に記載のガスコンロの安全装置。
【請求項８】
前記サーミスタが前記内スリーブ内に設置され、前記サーミスタが前記感温コラムと接触し、前記サーミスタが前記ケーブルの一端と電気接続され、前記ケーブルの他端が前記支持部品本体からはみ出し、前記コネクタと電気接続されることを特徴とする請求項７に記載のガスコンロの安全装置。
【請求項９】
前記支持部品は、接続される支持管本体と拡張管とを備える段階状支持管であり、
前記拡張管の管壁は、前記支持管本体の管壁に対して周方向に沿って外側へ突出し、
前記拡張管と前記支持管本体との間に前記周方向凸起が接続され、前記拡張管と前記周方向凸起とが前記外スリーブ本体内に設置され、前記支持管本体の下端が前記縮径部からはみ出し可能であり、
前記弾性部品の下端は、前記拡張管に挿入され、前記周方向凸起と当接する
ことを特徴とする請求項１〜８のいずれか１項に記載のガスコンロの安全装置。
【請求項１０】
前記ケーブルの外面に、ガラス繊維シリカゲルカバーが外挿されることを特徴とする請求項７〜９のいずれか１項に記載のガスコンロの安全装置。
【請求項１１】
前記ガスコンロの安全装置の前記周方向凸起は、１つ又は複数設けられ、前記支持部品本体の周方向エッジの外側へ延在するように設置され、
１つの周方向凸起が設けられる場合、前記周方向凸起が前記支持部品本体の上端の周方向エッジに沿って連続的に延在し、
複数の周方向凸起が設けられる場合、前記周方向凸起が等間隔をあけて前記支持部品本体の上端の周方向エッジと接続される
ことを特徴とする請求項１〜１０のいずれか１項に記載のガスコンロの安全装置。
【請求項１２】
前記支持部品本体の外径は、前記縮径部の内径より小さく設けられ、前記周方向凸起の外径は、前記外スリーブ本体の内径より小さく且つ前記縮径部の内径より大きく設けられることを特徴とする請求項１〜１１のいずれか１項に記載のガスコンロの安全装置。
【請求項１３】
前記弾性部品は、その一端が前記感温コラムと当接し、その他端が前記周方向凸起の内壁と当接し、
前記弾性部品は、前記外スリーブが前記支持部品に対して下へ移動できるように、第２状態において外部の力で圧縮されるように配置される
ことを特徴とする請求項５〜１２のいずれか１項に記載のガスコンロの安全装置。
【請求項１４】
前記感温コラムは、ベースコラムと、同心円状にベースコラムに設けられる内リング及び外リングと、を備え、
前記内スリーブは、前記感温コラムの内リングに外挿され、前記外スリーブは、前記感温コラムの外リングに外挿される
ことを特徴とする請求項５〜１３のいずれか１項に記載のガスコンロの安全装置。
【請求項１５】
前記前記感温コラムと当接する前記弾性部品の一端は、前記感温コラムの内リングと外リングとの間に設置されることを特徴とする請求項５〜１４のいずれか１項に記載のガスコンロの安全装置。
【請求項１６】
前記弾性部品は、ばねであることを特徴とする請求項１〜１５のいずれか１項に記載のガスコンロの安全装置。
【請求項１７】
請求項１〜１６のいずれか１項に記載のガスコンロの安全装置を利用するガスコンロ。
【発明の詳細な説明】
【技術分野】
【０００１】
関係出願の相互参照
本出願は、２０１９年４月２日に中国専利局に提出された、出願番号がＣＮ２０１９１０２６０６２５．４であり、名称が「ガスコンロの安全装置」の中国出願に基づいて優先権を主張し、その全ての内容が、参照により本出願に組み込まれる。
本開示は、ガスコンロ技術分野に関し、特に、ガスコンロの安全装置及びガスコンロに関する。
【背景技術】
【０００２】
ガスコンロは、液化石油ガス、石炭ガス、天然ガスなどの気体燃料を燃焼して加熱するキッチン用品であり、日常生活又は飲食店においてよく使われるものである。使用されるときに、利用者の操作ミスや不注意によって安全事項がよく引き起こされる。例えば、ガスコンロの火を消し忘れると、鍋の空焚きをしてしまい、ひいては火災になり、利用者の生命や財産の安全を脅かすことがある。
【発明の概要】
【発明が解決しようとする課題】
【０００３】
したがって、空焚きを効果的に防止するガスコンロの安全装置が必要となる。
【課題を解決するための手段】
【０００４】
本開示は、上記の事情を鑑みてなされたものであり、使用されるときに空焚きを効果的に防止するガスコンロの安全装置を提供することを目的とする。
本開示の実施例によるガスコンロの安全装置は、支持部品と、外スリーブと、温度センサアセンブリと、を有し、
前記支持部品は、支持部品本体と、前記支持部品本体の上端と接続される周方向凸起と、を備え、
前記外スリーブは、接続される外スリーブ本体と縮径部とを備え、前記外スリーブ本体と前記縮径部との間にスリーブ肩部が形成され、前記周方向凸起が前記外スリーブ本体内に設置され、前記周方向凸起と前記外スリーブ本体の上端との間に弾性部品が接続され、前記スリーブ肩部は、前記周方向凸起の前記外スリーブ本体からの脱落を防ぐことができ、前記縮径部が前記支持部品本体の外部に外挿され、
前記温度センサアセンブリは、前記外スリーブ本体内に設置され、且つ前記外スリーブ本体と接続され、鍋の底部の温度を測定可能なものであり、
前記縮径部と前記支持部品本体との間にガイド構造が設けられ、前記外スリーブは、前記支持部品に対して前記支持部品の軸方向に沿って往復移動可能であり、前記弾性部品は、前記周方向凸起と前記外スリーブ本体の上端との間に支持される。
【０００５】
好ましくは、前記ガイド構造は、互いに係合するガイド凹溝とガイド凸起とを備え、前記縮径部の内面に前記ガイド凹溝が設けられる場合、前記支持部品本体の外面に前記ガイド凸起が設けられ、前記支持部品本体の外面に前記ガイド凹溝が設けられる場合、前記縮径部の内面に前記ガイド凸起が設けられ、前記ガイド凹溝と前記ガイド凸起とは、いずれも前記支持部品の軸方向に沿って延在する。
【０００６】
好ましくは、前記支持部品本体における前記ガイド凹溝又は前記ガイド凸起は、前記周方向凸起まで延在するように構成され、
又は、前記支持部品本体における前記ガイド凹溝又は前記ガイド凸起は、前記周方向凸起と間隔をあけて延在するように構成される。
【０００７】
好ましくは、前記ガイド凹溝及び前記ガイド凸起の断面形状は、いずれも三角形、矩形又は半円形であり、
前記ガイド凸起が２つ設けられ、２つの前記ガイド凸起が対称に設けられ、前記ガイド凹溝が前記ガイド凸起と一対一に設けられる。
【０００８】
好ましくは、前記ガスコンロの安全装置は、さらに、防火カバーを有し、前記防火カバーは、防火カバー本体と防火カバー縮径部とを備え、前記防火カバー本体と前記防火カバー縮径部との間に防火カバー肩部が接続され、
前記防火カバー本体は、前記外スリーブ本体に外挿され、前記外スリーブ本体と間隔をあけて設置され、前記防火カバー縮径部が前記縮径部に外挿され、前記防火カバー肩部に放熱貫通孔が設けられ、前記防火カバー肩部が前記スリーブ肩部と固定接続され、
前記温度センサアセンブリは、感温コラムを備え、前記感温コラムが前記外スリーブ本体の上端に設置され、前記防火カバーの上端が位前記感温コラムの上面の下方に位置し、
前記防火カバーは、酸化防止材からなる。
【０００９】
好ましくは、前記ガスコンロの安全装置は、さらに内スリーブを有し、前記内スリーブが前記外スリーブ内部に設置され、前記内スリーブの上端が前記外スリーブの上端と固定接続され、前記内スリーブの下端が前記支持部品本体に挿入可能であり、前記弾性部品が前記内スリーブに外挿され、
前記支持部品は、さらに延伸管と係合部とを備え、前記延伸管の上端が前記支持部品本体の下端と接続され、
前記支持部品は、さらに係合部を備え、前記係合部が前記延伸管の外面に設けられる。
【００１０】
好ましくは、前記温度センサアセンブリは、さらにサーミスタ、ケーブル及びコネクタを備え、前記コネクタは、前記ガスコンロのスイッチと電気接続されるように配置され、前記感温コラムは、前記外スリーブの上端に設置され、前記内スリーブの上端が前記感温コラムを介して前記外スリーブと接続され、
前記内スリーブは、絶縁内スリーブである。
【００１１】
好ましくは、前記サーミスタが前記内スリーブ内に設置され、前記サーミスタが前記感温コラムと接触し、前記サーミスタが前記ケーブルの一端と電気接続され、前記ケーブルの他端が前記支持部品本体からはみ出し、前記コネクタと電気接続される。
【００１２】
好ましくは、前記支持部品は、接続される支持管本体と拡張管とを備える段階状支持管であり、前記拡張管の管壁は、前記支持管本体の管壁に対して周方向に沿って外側へ突出し、前記拡張管と前記支持管本体との間に前記周方向凸起が接続され、前記拡張管と前記周方向凸起とが前記外スリーブ本体内に設置され、前記支持管本体の下端が前記縮径部からはみ出し可能であり、
前記弾性部品の下端は、前記拡張管に挿入され、前記周方向凸起と当接する。
【００１３】
好ましくは、前記ケーブルの外面に、ガラス繊維シリカゲルカバーが外挿される。
【００１４】
好ましくは、前記ガスコンロの安全装置の前記周方向凸起は、１つ又は複数設けられ、前記支持部品本体の周方向エッジの外側へ延在するように設置され、１つの周方向凸起が設けられる場合、前記周方向凸起が前記支持部品本体の上端の周方向エッジに沿って連続的に延在し、複数の周方向凸起が設けられる場合、前記周方向凸起が等間隔をあけて前記支持部品本体の上端の周方向エッジと接続される。
【００１５】
好ましくは、前記支持部品本体の外径は、前記縮径部の内径より小さく設けられ、前記周方向凸起の外径は、前記外スリーブ本体の内径より小さく且つ前記縮径部の内径より大きく設けられる。
【００１６】
好ましくは、前記弾性部品は、その一端が前記感温コラムと当接し、その他端が前記周方向凸起の内壁と当接し、前記弾性部品は、前記外スリーブが前記支持部品に対して下へ移動できるように、第２状態において外部の力で圧縮されるように配置される。
【００１７】
好ましくは、前記感温コラムは、ベースコラムと、同心円状にベースコラムに設けられる内リング及び外リングと、を備え、前記内スリーブは、前記感温コラムの内リングに外挿され、前記外スリーブは、前記感温コラムの外リングに外挿される。
【００１８】
好ましくは、前記前記感温コラムと当接する前記弾性部品の一端は、前記感温コラムの内リングと外リングとの間に設置される。
【００１９】
好ましくは、前記弾性部品は、ばねである。
【００２０】
本開示は、例えば上記ガスコンロの安全装置を利用するガスコンロを提供することを目的とする。ガスコンロを使用するとき、該ガスコンロの安全装置により、空焚き防止機能を効果的に実現でき、ガスコンロの安全性を向上させた。
【００２１】
本出願の実施例によるガスコンロの安全装置は、構成が簡単であり、容易に加工でき、ガスコンロの空焚き防止機能を実現でき、ガスコンロの安全性を向上させた。また、全体構成は、バランスが崩れず、合理的となり、製造、装着が容易になり、生産コストを低減させた。支持部品と外スリーブとの相対摺動の円滑さに寄与でき、さらに騒音を低減し、長寿命化を実現することができるので、該ガスコンロの安全装置の品質及び市場競争力を向上させた。
【００２２】
本出願の上記目的、特徴及びメリットをより理解しやすいように、以下、好ましい実施例及び図面を参照しながら、詳しく説明する。
【００２３】
以下、本開示における具体的な実施形態又は従来技術の技術案をより明瞭に説明するため、具体的な実施形態又は従来技術の技術案に必要な図面を簡単に説明する。無論、説明する図面は、本開示の一部の実施例を示すものに過ぎない。当業者は、発明能力を用いなくても、これらの図面に基づいてその他の図面を得ることが可能である。
【図面の簡単な説明】
【００２４】
【図１】本開示の実施例に係るガスコンロの安全装置の第１状態の構成模式図である。
【図２】本開示の実施例に係るガスコンロの安全装置の第２状態の構成模式図である。
【図３】本開示の実施例に係るガスコンロの安全装置の第１状態の他の構成模式図である。
【図４】本開示の実施例に係るガスコンロの安全装置の外スリーブの構成模式図である。
【図５】本開示の実施例に係るガスコンロの安全装置の支持部品の構成模式図である。
【図６】本開示の実施例に係るガスコンロの安全装置の内スリーブの構成模式図である。
【図７】本開示の実施例に係るガスコンロの安全装置の防火カバーの構成模式図である。
【図８】本開示の実施例に係るガスコンロの安全装置の温度センサアセンブリの構成模式図である。
【発明を実施するための形態】
【００２５】
以下、図面を参照しながら、本開示の技術案を明瞭かつ完全に説明する。説明する実施例は本開示の一部の実施例にすぎず、すべての実施例ではないことが無論である。本開示の実施例をもとに、当業者が発明能力を用いることなく得られたすべてのその他の実施例も、本開示の保護範囲に属する。
【００２６】
本開示の説明において、「中心」、「上」、「下」、「左」、「右」、「鉛直」、「水平」、「内」、「外」等の用語で表された方向又は位置関係は、図面に基づくものであり、本開示を便宜及び簡略に説明するためのものに過ぎず、該当装置又は素子が、必ず定められた方向を有したり、定められた方向に構成、操作されたりすることを明示又は暗示するものではないため、本開示を限定するものではないと理解すべきである。また、「第１」、「第２」、「第３」などの用語は、説明するためのものに過ぎず、相対重要性を明示又は暗示するものではないと理解すべきである。
【００２７】
本開示の説明において、明確な定義と限定がない限り、「取付」、「連係」、「接続」、などの用語を、広義に解すべきである。例えば、固定接続でもよいし、取外し可能な接続でもよいし、一体的な接続でもよい。そして、機械接続でもよいし、電気接続でもよい。また、直接的に接続してもよいし、中間物を介して間接に接続してもよいし、２つの素子の内部が連通してもよい。当業者は、本開示における上記用語の具体的な意味を、具体的な状況に応じて理解することが可能である。
【００２８】
図１〜図８に示すように、本実施例は、ガスコンロの安全装置を提供する。図１は、本実施例に係るガスコンロの安全装置の第１状態の構成模式図であり、具体的に、未使用状態の各部品間の位置関係を示す。図２は、本実施例に係るガスコンロの安全装置の第２状態の構成模式図であり、具体的に、使用状態の各部品間の位置関係を示す。図３は、本実施例に係るガスコンロの安全装置の第１状態の他の構成模式図であり、具体的に、構成の特徴をより明瞭に示すため、温度センサアセンブリの感温コラム及びサーミスタのみが残され、温度センサアセンブリにおけるその他部品を省略するものである。図４は、本実施例に係るガスコンロの安全装置の外スリーブの構成模式図である。図５は、本実施例に係るガスコンロの安全装置の支持部品の構成模式図である。図６は、本実施例に係るガスコンロの安全装置の内スリーブの構成模式図である。図７は、本実施例に係るガスコンロの安全装置の防火カバーの構成模式図である。図８は、本実施例に係るガスコンロの安全装置の温度センサアセンブリの構成模式図である。そのうち、図１〜図３は、断面図であり、構成をより明瞭に示すため、ハッチングを省略する。
【００２９】
本実施例に係るガスコンロの安全装置は、ガスコンロによる空焚きを防止することができる。
【００３０】
図１〜図８に示すように、ガスコンロの安全装置は、支持部品１を有する。支持部品１は、支持部品本体１０と、支持部品本体１０の上端と接続される周方向凸起１１と、を備える。周方向凸起１１が１つ又は複数設けられることが好ましい。１つの周方向凸起１１が設けられる場合、該周方向凸起は、支持部品本体１０の上端の周方向のエッジに沿って連続的に延在し、該支持部品本体１０の周方向のエッジからはみ出すように構成されている。図５に示すように、該周方向のエッジから同幅ではみ出すように構成されることが好ましい。または、複数の周方向凸起１１が設けられる場合、複数の周方向凸起１１は、互いに等間隔又は非等間隔をあけて支持部品本体１０の上端の周方向のエッジと接続される。
【００３１】
ガスコンロの安全装置は、さらに外スリーブ２を有する、外スリーブ２は、接続される外スリーブ本体２０と縮径部２１とを備える。外スリーブ本体２０の内径が縮径部２１の内径より大きいので、両者の接続箇所においてスリーブ肩部２２が形成される。また、外スリーブ本体２０内において、周方向凸起１１と外スリーブ本体２０の上端との間に、弾性部品８が接続される。以下、該弾性部品８、並びにそれと周方向凸起１１及び外スリーブ本体２０との接続方法を詳しく説明する。スリーブ肩部２２は、周方向凸起１１の外スリーブ本体２０からの脱落を防ぐことができ、縮径部２１は、支持部品本体１０の外部に外挿されている。具体的に、支持部品１は、外スリーブ２内に摺動可能に挿入される。また、具体的に、支持部品１は、支持部品本体１０の外径が縮径部２１の内径より小さく、周方向凸起１１の外径が外スリーブ本体２０の内径より小さく且つ縮径部２１の内径より大きくなるように構成される。したがって、支持部品１の下端（周方向凸起１１から離間する端）が外スリーブ本体２０の縮径部２１から離間する端から外スリーブ２に挿入されたとき、又はその他の手段で支持部品１が外スリーブ２内に設置されたとき、外スリーブ２が支持部品１に対して上下摺動可能である。外スリーブ２のスリーブ肩部２２が周方向凸起１１と当接すると、摺動が止められ、その位置は、外スリーブ２が支持部品１に対して上へ摺動可能な限界位置である。
【００３２】
外スリーブ本体２０、縮径部２１及び支持部品本体１０の断面形状が円形であることが好ましい。なお、状況に応じて、外スリーブ本体２０、縮径部２１及び支持部品本体１０の断面形状が多角形に形成されてもよい。支持部品本体１０の外スリーブ本体２０及び縮径部２１内の摺動のため、支持部品本体１０の外壁の断面形状が外スリーブ本体２０及び縮径部２１の両方の内壁の断面形状に合わせるように形成されることが好ましい。
【００３３】
ガスコンロの安全装置は、さらに温度センサアセンブリ３を有する。温度センサアセンブリ３は、外スリーブ本体２０内に設置され、例えば係合で外スリーブ本体２０と接続される。これによって、温度センサアセンブリ３は、外スリーブ本体２０とともに支持部品本体１０に対して上下移動可能になる。該温度センサアセンブリ３は、鍋の底部の温度を測定することができる。温度センサアセンブリ３を外スリーブ本体２０内に設置することによって、温度センサアセンブリ３とガスコンロの火とを隔離することができるので、ガスコンロの火による温度センサの焼損を防ぐことができ、鍋の底部に対する温度センサによるより正確な温度測定を保証できる。
【００３４】
また、支持部品１に対する支持部品１の軸方向に沿う外スリーブ２の往復移動を実現するため、縮径部２１と支持部品本体１０との間にガイド構造が設けられる。ガイド構造により、支持部品１に対する外スリーブ２の周方向の回転を防ぐことができ、支持部品１の軸方向に沿う外スリーブ２の移動を保証できるので、使用されるときの該ガスコンロの安全装置の安定性を確保することができる。弾性部品８は、周方向凸起１１と外スリーブ本体２０の上端との間に支持される。該弾性部品８は、未使用状態即ち第１状態において、外力で圧縮されず、伸長状態になるので、支持部品１に対する外スリーブ２の上への移動を駆動する。周方向凸起１１がスリーブ肩部２２に当接したとき、外スリーブ２と支持部品１とが互いに固定されたようになるので、未使用状態の外スリーブ２と支持部品１との無駄な摩耗を防ぐことができ、ガスコンロの安全装置の長寿命化を実現した。
【００３５】
該ガスコンロの安全装置の作動原理は、以下のとおりである。支持部品本体１０の下端は、ガスコンロに固定される。未使用状態において、弾性部品８により、周方向凸起１１がスリーブ肩部２２に当接するまで、外スリーブ２が支持部品１に対して上へ移動する。これによって、外スリーブ２と支持部品１との間に軸方向の位置制限が実現され、外スリーブ２と支持部品１との軸方向の脱離を防ぐことができる。使用状態において、鍋の底部が外スリーブ本体２０を押圧し、鍋の重力で弾性部品８が圧縮されるので、支持部品１に対する外スリーブ２の下への移動が許容されるようになる。鍋の底部の位置が安定になるとき、外スリーブ２と支持部品１とが相対的な静止状態になるので、弾性部品８が外スリーブ２と支持部品１との間に支持される。この場合、外スリーブ２内の温度センサアセンブリ３は、鍋の底部の温度を測定し、その温度情報を電気信号に変換する。これによって、ガスコンロのスイッチを制御する。このような鍋の底部の温度の測定は、継続的に行われてもよいし、間欠的に行われてもよく、必要に応じて予め設定可能である。具体的に、温度センサにより測定した鍋の底部の温度が高すぎると、ガスコンロの火を消すことによって、ガスコンロの空焚きを防ぐことを実現し、ガスコンロの安全性を向上させた。
【００３６】
特に、該ガスコンロの安全装置は、ガイド構造を縮径部２１と支持部品本体１０との間に設けることによって、ガイド構造に対する弾性部品８の上下方向の伸縮を実現し、支持部品本体１０の径方向の空間利用率を向上させた。これによって、弾性部品８とガイド構造とが弾性部品８の径方向に配置されることを避けることができるので、外スリーブ２の径方向の寸法の過大を防ぐことができ、ガスコンロの安全装置の全体構成が合理的となった。また、縮径部２１と支持部品本体１０との間に直接的にガイド構造が設けられること、即ち、ガイド構造の一部が縮径部２１と一体成形され、ガイド構造の残りの部が支持部品本体１０と一体成形されることで、構成が複雑なライナを個別に製造してガイドを実現することに比べて、一体成形が容易であり、構成が複雑な部品を別途に製造する必要がないので、生産コストが低くなった。また、支持部品１及び外スリーブ２は、引き伸ばしで成形されるものであるので、支持部品本体１０の外面が滑面になる。支持部品本体１０と收?部との間にガイド構造を設けることで、支持部品１と外スリーブ２との相対摺動の円滑さに寄与でき、さらに騒音を低減し、長寿命化を実現することができるので、該ガスコンロの安全装置の品質及び市場競争力を向上させた。
【００３７】
本実施例のガスコンロの安全装置は、構成が簡単であり、容易に加工でき、ガスコンロの空焚き防止機能を実現でき、ガスコンロの安全性を向上させた。また、全体構成は、バランスが崩れず、合理的となり、製造、装着が容易になり、生産コストを低減させた。そして、支持部品１と外スリーブ２との相対摺動の円滑さに寄与でき、さらに騒音を低減し、長寿命化を実現することができるので、該ガスコンロの安全装置の品質及び市場競争力を向上させた。
【００３８】
本実施例の好ましい技術案において、ガイド構造は、互いに係合するガイド凹溝４とガイド凸起５とを備える。ガイド凹溝４が縮径部２１の内面又は支持部品本体１０の外面に設けられ、ガイド凸起５が支持部品本体１０の外面又は縮径部２１の内面に設けられ、ガイド凹溝４とガイド凸起５とがいずれも支持部品１の軸方向に沿って延在する。つまり、縮径部２１の内面にガイド凹溝４が設けられた場合、支持部品本体１０の外面にガイド凸起５が設けられ、ガイド凸起５とガイド凹溝４との係合接続によって、外スリーブ２と支持部品１との相対摺動を実現する。又は、縮径部２１の内面にガイド凸起５が設けられた場合、支持部品本体１０の外面にガイド凹溝４が設けられ、ガイド凸起５とガイド凹溝４との係合接続によって、外スリーブ２と支持部品１との相対摺動を実現する。
【００３９】
ガイド凹溝４とガイド凸起５との構成が簡単であり、容易に加工できるので、縮径部２１及び支持部品本体１０と一体成形されることが容易である。ガイド凹溝４とガイド凸起５とが中間ばめで接続されることが好ましい。これによって、係合の密接さを保証できるとともに円滑さの要求を満たすことができる。
【００４０】
好ましくは、外スリーブ本体２０は、直管であり、その内径が１０．５±０．０５ｍｍであり、縮径部２１の内径が８．３±０．１ｍｍであり、縮径部２１の軸方向の長さが５〜６ｍｍである。
【００４１】
本実施例の好ましい技術案において、支持部品本体１０におけるガイド凹溝４又はガイド凸起５が周方向凸起１１まで延在し、縮径部２１におけるガイド凸起５又はガイド凹溝４がスリーブ肩部２２まで延在するように構成される。これによって、ガイド凸起５とガイド凹溝４との接触面積を増加させ、支持部品１と外スリーブ２との相対摺動の安定性を向上させた。
【００４２】
または、支持部品本体１０におけるガイド凹溝４又はガイド凸起５が周方向凸起１１と一定距離を隔てる箇所まで延在し、縮径部２１におけるガイド凸起５又はガイド凹溝４がスリーブ肩部２２と一定距離を隔てる箇所まで延在するように構成される。これによって、スリーブ肩部２２及び周方向凸起１１を避けて、ガイド凸起５及びガイド凹溝４を加工することができる。具体的に、該ガイド凹溝４及びガイド凸起５は、縮径部２１又は支持部品本体１０の縦方向の一部に延在するように構成されてもよい。図４及び図５に示すように、ガイド凸起５は、開口端と封止端とを備え、その開口端が縮径部２１の一端に位置し、その封止端が縮径部２１の中部に位置する。ガイド凹溝４は、開口端と封止端とを備え、その開口端が支持部品本体１０の一端に位置し、その封止端が支持部品本体１０の中部に位置する。したがって、ガイド凹溝４とガイド凸起５との互いの係合は、ガイド作用のみならず、止め作用も果たしている。例えば、ガイド凸起５の封止端がガイド凹溝４の封止端に当接する場合、外スリーブ２が上へ摺動して支持部品１から脱離することを阻止することができる。
【００４３】
本実施例の好ましい技術案において、ガイド凹溝４及びガイド凸起５の断面形状は、三角形、矩形又は半円形などである。
【００４４】
ガイド凸起５は、１つ又は複数設けられてもよく、２つ設けられることが好ましい。２つのガイド凸起５が対称に設けられ、ガイド凹溝４がガイド凸起５と一対一で設けられている。対称に設けられた２つのガイド凸起５及び対応して対称に設けられた２つのガイド凹溝４によって、ガイド構造のガイドの安定性を向上させた。また、より多くのガイド凸起５を設ける技術案に比べて、加工の難しさ及び装着精度の要求を減らすことができるので、コスト的である。
【００４５】
好ましくは、ガイド凹溝４は、その支持部品本体１０の径方向の深さが０．８〜１．５ｍｍであり、支持部品本体１０の軸方向に沿って延在し、その支持部品本体１０の軸方向の長さが２０〜２７ｍｍであり、支持部品本体１０の周方向に沿って１〜２ｍｍで延在する。
【００４６】
好ましくは、ガイド凸起５は、その縮径部２１の径方向の深さが０．８〜１．５ｍｍであり、縮径部２１の軸方向に沿って延在し、その縮径部２１の軸方向の長さが３〜６ｍｍであり、縮径部２１の周方向に沿って１〜２ｍｍで延在する。
【００４７】
本実施例の好ましい技術案において、ガスコンロの安全装置は、さらに防火カバー６を有する。防火カバー６は、防火カバー本体６０と防火カバー縮径部６１とを備え、防火カバー本体６０の内径が防火カバー縮径部６１の内径より大きく形成される。これによって、防火カバー本体６０と防火カバー縮径部６１との接続箇所に、防火カバー肩部６２が形成される。好ましくは、防火カバー本体６０の断面形状は、外スリーブ本体２０の断面形状と同じく形成され、防火カバー縮径部６１の断面形状は、縮径部２１の断面形状と同じく形成される。
【００４８】
図１〜３及び図７に示すように、防火カバー本体６０は、外スリーブ本体２０に外挿され、外スリーブ本体２０と間隔をあけて設置されている。防火カバー縮径部６１が、縮径部２１に外挿され、防火カバー肩部６２に放熱貫通孔６３が設けられ、防火カバー肩部６２がスリーブ肩部２２と固定接続される。したがって、外スリーブ２が支持部品１の軸方向に沿って往復移動するとき、防火カバー６も外スリーブ２とともに移動する。また、放熱貫通孔６３を設置することによって、保護カバー６の内部の空気の流速を増加させることができるので、防火カバー６の内部の放熱に寄与できる。したがって、温度センサアセンブリ３を保護でき、温度測定の正確性を向上させることができる。
【００４９】
また、温度センサアセンブリ３は、外スリーブ本体２０の上端に設置される感温コラム３０を備える。上下方向即ち軸方向において、防火カバー６の上端が、感温コラム３０の上面の下方に位置する。つまり、軸方向において、防火カバー６の上端と感温コラム３０の上面との間に段差がある。したがって、感温コラム３０が鍋の底部と接触するとき、鍋の底部は、防火カバー６の上端と接触しておらず、感温コラム３０の上面のみと接触し、防火カバー６の高温の鍋の底部との長時間接触を防ぐことができるので、防火カバー６の長寿命化を実現することができる。また、放熱貫通孔６３を設置することによって、空気の流動、放熱を促進することができるので、熱の感温コラム３０への集中を防ぐことができ、常時、温度測定の正確性を確保することができる。
【００５０】
好ましくは、弾性部品８が、感温コラム３０と周方向凸起１１の内壁との間に支持される。したがって、弾性部品８によって感温コラム３０が鍋の底部と密接することができるので、感温コラム３０の温度収集のリアルタイム性及び正確性を向上させることができる。さらに、温度センサアセンブリにおける感温アセンブリが感温コラム３０と接触すると、正確に鍋の底部の温度を測定することができる。
【００５１】
好ましくは、感温コラム３０は、高熱伝導率の材料からなり、熱伝導が速くなるので、速やか且つ正確に鍋の底部の温度を反映することができる。
【００５２】
防火カバー６は、酸化防止材からなるので、ガスコンロの火の高温環境で長時間使用されても変色しないことを確保することができる。これによって、見栄えがよく、外スリーブ２の内部の温度センサアセンブリ３を効果的に保護することができる。
【００５３】
好ましくは、防火カバー本体６０の外径が外スリーブ本体２０の外径の１．５〜２倍である。好ましくは、防火カバー本体６０の軸方向の長さは、外スリーブ本体２０の軸方向長さより０．３〜１ｍｍ短くなるように構成される。感温コラム３０の上面は、防火カバー本体６０の上端エッジより０．３〜５ｍｍ高くなるように上へ突出する。
【００５４】
本実施例の好ましい技術案において、ガスコンロの安全装置は、さらに内スリーブ７を有する。内スリーブ７は、外スリーブ２内部に設置され、その上端が外スリーブ２の上端と固定接続され、その下端を支持部品本体１０に挿入可能である。弾性部品８が内スリーブ７に外挿される。内スリーブ７を設置することによって、弾性部品８の内面を支持することができるので、使用中の弾性部品８の捩じれを避けることができ、該ガスコンロの安全装置の伸縮の安定性を向上させることができる。
【００５５】
支持部品１は、延伸管と係合部１３を備え、延伸管の上端が支持部品本体１０の下端と接続され、係合部１３が周方向に沿って延伸管の外面に設置される。延伸管及び係合部１３を設置することによって、安全装置とガスコンロとの接続をより確実に実現することができる。
【００５６】
好ましくは、係合部１３は、金属製円環からなり、金属製円環の径方向の厚さが１〜１．５ｍｍであり、金属製円環が延伸管の下端エッジからの８〜１５ｍｍの箇所にカシメされる。
【００５７】
好ましくは、内スリーブ７の上端は、感温コラム３０を介して外スリーブ２の上端と固定接続される。具体的に、図１〜３に示すように、内スリーブ７の上端は、例えば係合で感温コラム３０と固定接続され、さらに、感温コラム３０と外スリーブ本体２０との固定接続で、外スリーブ２の上端と間接的に固定接続される。内スリーブ７の上端は、外スリーブ２の上端と直接的に固定接続されてもよい。
【００５８】
本実施例の好ましい技術案において、温度センサアセンブリ３は、さらに、サーミスタ３１、ケーブル３２及びコネクタ３３を備え、コネクタ３３がガスコンロのスイッチと電気接続される。感温コラム３０は、外スリーブ２の上端に設置され、内スリーブ７の上端は、感温コラム３０を介して外スリーブ２と接続される。
【００５９】
図８に示すように、サーミスタ３１は、内スリーブ７内に設置され、その一端が感温コラム３０と接触し、その他端がケーブル３２の一端と電気接続される。ケーブル３２の他端は、支持部品本体１０からはみ出し、コネクタ３３と電気接続される。
【００６０】
内スリーブ７は、絶縁内スリーブである。さらに、内スリーブ７は、耐高温材料からなってもよい。したがって、温度センサアセンブリ３の回路の安全性を保証することができる。
【００６１】
好ましくは、サーミスタ３１が、ＮＴＣサーミスタ３１（負温度係数サーミスタ）であり、ケーブル３２が、抵抗溶接又は端子圧着によってサーミスタ３１と接続され、コネクタ３３が、クイックコネクタである。したがって、標準規格を満たし、クイックコネクタにより、外部の回路と迅速かつ容易に接続できる。
【００６２】
好ましくは、感温コラム３０は、ベースコラムと、ベースコラムに同心円状に設置される内リング及び外リングとを備える。ベースコラムの外径は、８〜１２ｍｍである。ベースコラムの上下方向の厚さは、０．３〜１ｍｍである。外リングの外径は、ベースリングの外径より０．３〜０．５ｍｍ小さくなる。外リングの径方向の厚さは、０．８〜１．０ｍｍである。外リングの上下方向の長さは、２．５〜３ｍｍである。内リングの径方向の厚さは、０．７〜１．５ｍｍである。内リングの上下方向の長さは、５〜８ｍｍである。内スリーブ７は、感温コラム３０の内リングに外挿され、外スリーブ２は、感温コラム３０の外リングに外挿され、弾性部品８は、感温コラム３０の内リングと外リングとの間に設置される。
【００６３】
好ましくは、サーミスタ３１のガラスボールが、感温コラム３０の内リング内に設置され、感温コラム３０のベースコラムに貼り付けられる。
【００６４】
本実施例の好ましい技術案において、ケーブル３２の外面に、ガラス繊維シリカゲルカバー３４が外挿される。これによって、複数のケーブル３２の互の不正接続を避けることができ、該ガスコンロの安全装置の安全性を保証できる。
【００６５】
本実施例の好ましい技術案において、支持部品１は、接続される支持管本体と拡張管とを備える段階状支持管を有する。拡張管の管壁は、支持管本体の管壁に対して周方向に沿って外側へ突出する。拡張管と支持管本体との間に、周方向凸起１１が接続され、拡張管と周方向凸起１１とが外スリーブ本体２０内に設置され、支持管本体の下端が縮径部２１からはみ出してもよい。
【００６６】
弾性部品８の下端は、拡張管に挿入され、周方向凸起１１に当接する。拡張管を設置することによって、弾性部品８の周方向凸起１１に対する径方向の摺動を防ぐことができる。
【００６７】
なお、上記の各実施例が、本開示の技術案を説明するためのものに過ぎず、それを限定するものではない。上記の各実施例を参照しながら本開示を詳細に説明したが、当業者は、上記の各実施例に記載された技術案を変更してもよく、その内の一部または全ての技術的特徴を均等に置き換えてもよい。これらの変更または置き換えは、該当する技術案の本質を本開示の各実施例の技術案の範囲から逸脱させていない。また、前記一部の実施例は、その他の実施例に含まれる一部の特徴を有しているが、異なる実施例の特徴の組合せは、本開示の範囲に属する別の実施例ともなると、当業者が理解すべきである。例えば、特許請求の範囲において、保護しようとする実施例を、任意に組合せてもよい。背景技術の部分に開示された情報は、本発明の背景技術全体に対する理解を深めるためのものであり、当業者にとっての周知の従来技術となっていることを認めることや如何なる形式で暗示することではないと理解すべきである。
【産業上の利用可能性】
【００６８】
本開示は、ガスコンロの安全装置及び該ガスコンロの安全装置を利用するガスコンロを提供する。該ガスコンロの安全装置は、構成が簡単であり、容易に加工でき、ガスコンロの空焚き防止機能を実現でき、ガスコンロの安全性を向上させた。また、全体構成は、バランスが崩れず、合理的となり、製造、装着が容易になり、生産コストを低減させた。そして、支持部品と外スリーブとの相対摺動の円滑さに寄与でき、摩耗を低減し、さらに騒音を低減し、長寿命化を実現することができるので、該ガスコンロの安全装置の品質及び市場競争力を向上させた。
【符号の説明】
【００６９】
１…支持部品
１０…支持部品本体
１１…周方向凸起
１３…係合部
２…外スリーブ
２０…外スリーブ本体
２１…縮径部
２２…スリーブ肩部
３…温度センサアセンブリ
３０…感温コラム
３１…サーミスタ
３２…ケーブル
３３…コネクタ
３４…ガラス繊維シリカゲルカバー
４…ガイド凹溝
５…ガイド凸起
６…防火カバー
６０…防火カバー本体
６１…防火カバー縮径部
６２…防火カバー肩部
６３…放熱貫通孔
７…内スリーブ
８…弾性部品
【図１】
2021529298.tif 000003
【図２】
2021529298.tif 000004
【図３】
2021529298.tif 000005
【図４】
2021529298.tif 000006
【図５】
2021529298.tif 000007
【図６】
2021529298.tif 000008
【図７】
2021529298.tif 000009
【図８】
2021529298.tif 000010
【国際調査報告】
2021529298.tif 000011
2021529298.tif 000012
2021529298.tif 000013
2021529298.tif 000014